(57)【特許請求の範囲】
【請求項１】
配電盤などの盤パネルの前面に装着して盤側に配した外部接続端子とプラグイン式に接続する開閉操作ハンドル付きの回路遮断器において、遮断器本体の底部側から側方に出没して前記盤パネルと係脱するロック片と、該ロック片と開閉操作ハンドルとの間を連繋する操作片とを具備し、ハンドルのＯＮ操作位置でロック片を鎖錠位置に突き出し，ハンドルのＯＦＦ操作位置でロック片を釈放位置に後退させるようにしたことを特徴とする回路遮断器。
【請求項２】
請求項１記載の回路遮断器において、ロック片を独立したケースに組み込み、該ケースを遮断器本体の底部に着脱可能に結合したことを特徴とする回路遮断器。
【請求項３】
請求項１記載の回路遮断器において、パネル前面に外部接続端子の端子台を兼ねた取付ベースを設置し、該ベースへ遮断器本体を装着するようにしたことを特徴とする回路遮断器。
【発明の詳細な説明】
【０００１】
【発明の属する技術分野】
この発明は、配電盤，制御盤などの盤パネルに装着して電源開閉，過電流保護を行う回路遮断器に関し、詳しくは回路遮断器を盤パネルに着脱する際の安全を確保するためのインターロック機構に係わる。
【０００２】
【従来の技術】
配電盤，制御盤などに回路遮断器を設置する場合に、開閉操作ハンドルを備えた回路遮断器を盤パネルの前面に装着し、盤内の母線に接続した外部接続端子と回路遮断器の端子との間をプラグイン式に接続するようにして盤の簡素化，省スペース化，回路遮断器の着脱操作の簡便化を図った接続方式のものが広く採用されている。
【０００３】
【発明が解決しようとする課題】
ところで、前記のように配電盤，制御盤の前面に装着して外部接続端子とプラグイン式に接続する回路遮断器では、そのメンテナンス時の安全面で次に記すような問題がある。
すなわち、保守点検時などに際して回路遮断器を盤から外したり，取付けたりする場合に、前記したプラグイン接続方式では、盤側の母線が活線状態にあるか否か、また回路遮断器のＯＮ，ＯＦＦに関係なく作業員は盤外からの作業で回路遮断器を盤から着脱することが可能である。そこで、回路遮断器を着脱する際には、保安面から事前に必ず開閉操作ハンドルをＯＦＦに切換えた上で作業を進めるよに義務付けられている。しかしながら、作業員が回路遮断器をＯＦＦに切換え操作するのをうっかり忘れ、開閉操作ハンドルをＯＮのままで回路遮断器を盤パネルから引き外したり，装着すると、給電，保安面で思わぬトラブルを招くおそれがある。
【０００４】
そこで、発明者等は、回路遮断器本体を取付枠を介して盤に組み込むするようにするとともに、この遮断器取付枠を盤に固定するボルトの前面にスライド式の遮蔽パネルを設け、かつ該遮蔽パネルと回路遮断器の開閉操作ハンドルとの間を連繋し、ハンドルのＯＮ位置では遮蔽パネルがボルト頭の前面を覆って回路遮断器を外せないようにした回路遮断器のインターロック機構を以前に提案した（特開平８−５５５４６号参照）。
【０００５】
しかしながら、前記提案になる回路遮断器のインターロック機構は、回路遮断器の取付枠に設けるために、取付枠を含めた外形寸法が大きくなって盤の省スペース化が図れないほか、インターロック機構を構成する部品点数も多く、製作コストが嵩むなどの問題があり、その改善策が求められていた。
この発明は上記の点に鑑みなされたものであり、その目的は前記課題を解決し、遮断器に簡易な構造のインターロック機構を組み込み、配電盤等の盤パネルに対して安全に取付け，取り外しが行えるようにした回路遮断器を提供することにある。
【０００６】
【課題を解決するための手段】
上記目的を達成するために、この発明によれば、配電盤などの盤パネルの前面に装着して盤側に配した外部接続端子とプラグイン式に接続する開閉操作ハンドル付きの回路遮断器において、
遮断器本体の底部側から側方に出没して前記盤パネルと係脱するロック片と、該ロック片と開閉操作ハンドルとの間を連繋する操作片とを具備し、ハンドルのＯＮ操作位置でロック片を鎖錠位置に突き出し，ハンドルのＯＦＦ操作位置でロック片を釈放位置に後退させるように構成するものとする（請求項１）。
【０００７】
かかる構成により、回路遮断器の開閉操作ハンドルがＯＮの位置にあると、操作片を介してロック片が鎖錠位置に突き出す。したがって、回路遮断器を盤パネルに装着した状態ではロック片が盤パネルに係合して遮断器本体を引き外すことができず、また回路遮断器を盤パネルに装着する場合には、突き出したロック片が障害物になって遮断器本体を盤パネルに装着することができない。これに対して、開閉操作ハンドルをＯＦＦの位置に操作して回路遮断器を断路の状態に切換えれば、操作ハンドルに連動してロック片が釈放位置に後退するので遮断器本体を自由に盤パネルから引き外したり，装着することが可能になる。
【０００８】
また、この発明によれば、前記構成の回路遮断器を次記のような形態で構成することができる。
(1) ロック片を独立したケース内に組み込み、該ケースを遮断器本体の底部に着脱可能に結合する（請求項２）。
これにより、ロック片をユニット化し、オプション部品として必要に応じて遮断器本体に組合せて使用することができる。
【０００９】
(2) パネル前面に外部接続端子の端子台を兼ねた取付ベースを設置し、該ベースへ遮断器本体を装着する（請求項３）。
このように遮断器本体と取付ベースを組み合わせて回路遮断器を構成することで、盤パネルへの取付け、盤側の母線との接続が簡単に行える。
【００１０】
【発明の実施の形態】
以下、この発明の実施の形態を図１ないし図３に示す実施例に基づいて説明する。なお、図１は回路遮断器の本体を配電盤パネルに装着し、かつ開閉操作ハンドルをＯＮにした接続状態を表し、図２は遮断器本体を配電盤パネルに装着し、かつ開閉操作ハンドルをＯＦＦにした状態を表し、図３は開閉操作ハンドルをＯＮのままで遮断器本体を盤パネルに装着する場合の状態を表している。
【００１１】
各図において、１は配電盤などの盤パネル、２は盤パネル１の前面側に固定した外部接続端子台を兼ねた取付ベース、３は取付ベース２へ嵌め込み式に装着した回路遮断器の遮断器本体、４は遮断器本体３の底部側に結合したロック片ユニット（オプション部品）である。なお，盤パネル１には前方からロック片ユニット４が嵌まり込む穴１ａが開口している。
【００１２】
ここで、取付ベース２には盤内に布設した母線と接続する外部接続端子５が一体にインサート成形されており、そのプラグ端子（ファストン端子）５ａが遮断器本体３の左右両側に引出してある。
一方、遮断器本体３はその本体ケース３ａに開閉操作ハンドル３ｂ，可動接触子，固定接触子，および接触子開閉機構など（図示せず）が内蔵されており、さらに本体ケース３ａの内部には、開閉操作ハンドル３ｂのＯＮ，ＯＦＦ操作に連動して上下方向に従動する操作片３ｃが組み込まれており、その先端が本体ケース３ａの底面側に突き出している。また、本体ケース３ａの左右両側には前記した外部接続端子５のプラグ端子５ａに接合し合う主回路端子（ソケット状端子）３ｄが引出してある。
【００１３】
また、ロック片ユニット４は、ケース４ａと、ケース４ａ内に組み込んでその先端が側方に出没するスライド式のロック片４ｂと、ロック片４ｂを後退位置に付勢する復帰ばね４ｃとの組立体としてなり、ケース４ａを遮断器本体３の本体ケース３ａの底面に着脱可能に取付けた位置で、ロック片４ｂに形成した傾斜カム部４ｄに先記した操作片３ｃの先端が当接し合うように組付けられている。
【００１４】
かかる構成で、図１(a),(b) で示すように、盤パネル１の前面側から取付ベース２に遮断器本体３を差し込み装着すると、遮断器本体３の主回路端子３ｄが取付ベース２に設けた外部接続端子５のプラグ端子５ａに結合してプラグイン式に接続される。ここで、開閉操作ハンドル３ｂをＯＮ位置にセットした図示の状態では、操作片３ｃに押されてロック片ユニット４のロック片４ｂがケース４ａから側方に突き出し（鎖錠位置）、ロック片４ｂの先端が盤パネル１の裏面に係合して遮断器本体３を装着位置にロックする。したがって、この状態では遮断器本体３を取付ベース２から引き外すことができない。
【００１５】
これに対して、図２(a),(b) で表すように、開閉操作ハンドル３ｂをＯＦＦ位置に切換え操作すると、ロック片ユニット４では復帰ばね４ｄのばね力でロック片４ｂが釈放位置に後退し、盤パネル１との係合が解除される。したがって、この状態では、遮断器本体３を取付ベース２から自由に引き抜くことが可能である。
【００１６】
また、遮断器本体３を取付ベース２に取付ける場合でも、開閉操作ハンドル３ｂがＯＦＦ位置にセットされていれば、ロック片４ｃが後退しているので自由に装着できる。これに対して、図３(a),(b) で示すように、開閉操作ハンドル３ｂをＯＮ位置にセットしたまま、遮断器本体３を取付ベース２に装着しようとしても、ロック片ユニット４からロック片４ｂが側方に突き出しているために、このロック片４ｂが障害物となって盤パネル１に突き当たる。したがって、ハンドルＯＮのままでは遮断器本体３を取付ベース２に装着することができない。
【００１７】
【発明の効果】
以上述べたように、この発明の構成によれば、回路遮断器に開閉操作ハンドルと連動する操作片，およびロック片の簡単な部品を追加装備するだけで盤パネルとの間をインターロックして遮断器本体の取付け，取り外しを安全に行うことができる。しかも、インターロック機構の部品は回路遮断器に組み込まれいるために、外形寸法が拡大することもなく、盤の省スペース化にも寄与できる。
【００１８】
また、ロック片を独立したケースに組み込んでユニット化することで、このロック片ユニットをオプション部品として、ユーザーの要請に対応できる。さらに、パネル前面に外部接続端子の端子台を兼ねた取付ベースを設置し、該ベースへ遮断器本体を装着した構成を採用することで、盤への遮断器本体の取付け，取り外しが楽に行える。
【図面の簡単な説明】
【図１】回路遮断器の本体を配電盤パネルに装着し、かつ開閉操作ハンドルをＯＮにした接続状態を表す図であり、(a) は要部を断面した正面図、(b) は側面図
【図２】回路遮断器の本体を配電盤パネルに装着し、かつ開閉操作ハンドルをＯＦＦにした接続状態を表す図であり、(a) は要部を断面した正面図、(b) は側面図
【図３】開閉操作ハンドルをＯＮのままで遮断器本体を盤パネルに装着する場合の状態を表す図であり、(a) は要部を断面した正面図、(b) は側面図
【符号の説明】
１    盤パネル
２    取付ベース
３    遮断器本体
３ｂ  開閉操作ハンドル
３ｃ  操作片
４    ロック片ユニット
４ｂ  ロック片
４ｃ  復帰ばね
５    外部接続端子
【図１】
0003861401.tif 000002
【図２】
0003861401.tif 000003
【図３】
0003861401.tif 000004